(57)【要約】      （修正有）【課題】水耕栽培において、作業効率、歩留まり等を向上させるスポンジ培地を収納する栽培ポット及び水耕栽培用パネルを提供する。【解決手段】栽培ポット１は、水耕栽培に用いる略キュービック状のスポンジ培地２を収納する栽培ポットであって、スポンジ培地の播種面の対角線よりも小さい径を有するスポンジ培地挿入孔１１と、スポンジ培地挿入孔を下端に有し且つ上部に行くほど径が大きくなる筒部とを備える。筒部は、スポンジ培地挿入孔を下端に有し且つ上部に行くほど径が大きくなる第１の筒部と、第１の筒部の上端を下端とし且つ上部に行くほど径が大きくなる第２の筒部とから構成され、第２の筒部広がり角は第１の筒部広がり角よりも大きい。水耕栽培用パネル３は、栽培ポットを挿入可能な栽培ポット挿入孔３１を有し、栽培ポット挿入孔の下端部の径は、スポンジ培地の播種面の対角線よりも小さい。【選択図】図３
0003214856.tif 000002
【実用新案登録請求の範囲】
【請求項１】
水耕栽培に用いる略キュービック状のスポンジ培地を収納する栽培ポットであって、
スポンジ培地の播種面の対角線よりも小さい径を有するスポンジ培地挿入孔と、
当該スポンジ培地挿入孔を下端に有し且つ上部に行くほど径が大きくなる筒部と、
を備えた
ことを特徴とする栽培ポット。
【請求項２】
上記筒部は、上記スポンジ培地挿入孔を下端に有し且つ上部に行くほど径が大きくなる第１の筒部と、
当該第１の筒部の上端を下端とし且つ上部に行くほど径が大きくなる第２の筒部と、
から構成され、
上記第２の筒部広がり角は上記第１の筒部の広がり角よりも大きい
ことを特徴とする請求項１に記載の栽培ポット。
【請求項３】
可視光を通さない素材からなる
ことを特徴とする請求項１または２に記載の栽培ポット。
【請求項４】
請求項１から３のいずれかに記載の栽培ポットを挿入可能な栽培ポット挿入孔を有し、
当該栽培ポット挿入孔の下端部の径は、スポンジ培地の播種面の対角線よりも小さい
ことを特徴とする水耕栽培用パネル。
【請求項５】
当該栽培ポット挿入孔の上端部は、上記栽培ポットの上端面により完全に覆われる
ことを特徴とする請求項４に記載の水耕栽培用パネル。
【請求項６】
下面に黒色のシートを貼り付けた
ことを特徴とする請求項４または５に記載の水耕栽培用パネル。
【考案の詳細な説明】
【技術分野】
【０００１】
本考案は、水耕栽培に用いるスポンジ培地を収納する栽培ポット、および、当該栽培ポットに適した水耕栽培用パネルに関するものである。
【背景技術】
【０００２】
ウレタン等のスポンジ培地は、水耕栽培に適しており、播種から育苗、定植への植替えの容易さ、低コスト等により広く使用されている。
ただし、水耕栽培用パネルの孔から落ちやすい等のいくつかの課題を有していた。
【０００３】
そこで、スポンジ培地であるウレタン発泡体が、水耕栽培用パネルの定植孔から落下するのを防ぐために、定植孔側壁に突起を設けることが提案されている（例えば、特許文献１、特に、００３２段落、図１１）。
【先行技術文献】
【特許文献】
【０００４】
【特許文献１】特開２００４−２６２２０８
【考案の概要】
【考案が解決しようとする課題】
【０００５】
現在広く使用されている通常の発泡パネルにおいて、定植孔側壁に突起を設けることは、困難である。特許文献１に開示されているような、高い強度を有する特殊素材のパネルにおいては可能であるが、コストが最重要視される農業においては、高価な特殊素材パネルを使用することは全く現実的ではない。
【０００６】
また、定植孔側壁の突起によって固定されたスポンジ培地を取り外すことは容易ではなく、収穫時に余分な手間が発生してしまうという問題点もあった。
【０００７】
本考案は、スポンジ培地の取り扱いを極めて容易にする補助具である栽培ポットに関するものであり、通常の発泡パネルを用いることが可能で、定植孔側壁からスポンジ培地が落ちることを防止し、且つスポンジ培地の定植孔からの取り外しを容易に行うことを可能にする栽培ポットを提供することを目的としている。
【課題を解決するための手段】
【０００８】
本考案に係る栽培ポットは、水耕栽培に用いる略キュービック状のスポンジ培地を収納する栽培ポットであって、
スポンジ培地の播種面の対角線よりも小さい径を有するスポンジ培地挿入孔と、
当該スポンジ培地挿入孔を下端に有し且つ上部に行くほど径が大きくなる筒部と、
を備えたことを特徴とするものである。
【０００９】
本考案に係る栽培ポットは、
上記筒部が、上記スポンジ培地挿入孔を下端に有し且つ上部に行くほど径が大きくなる第１の筒部と、
当該第１の筒部の上端を下端とし且つ上部に行くほど径が大きくなる第２の筒部とから構成され、
上記第２の筒部広がり角は上記第１の筒部の広がり角よりも大きいことを特徴とするものである。
【００１０】
本考案に係る栽培ポットは、可視光を通さない素材からなることを特徴とするものである。
【００１１】
本考案に係る水耕栽培用パネルは、上述の栽培ポットを挿入可能な栽培ポット挿入孔を有し、
当該栽培ポット挿入孔の下端部の径は、スポンジ培地の播種面の対角線よりも小さいことを特徴とするものである。
【００１２】
本考案に係る水耕栽培用パネルは、栽培ポット挿入孔の上端部は、上記栽培ポットの上端面により完全に覆われることを特徴とするものである。
【考案の効果】
【００１３】
本考案は、スポンジ培地の取り扱いを極めて容易にする補助具である栽培ポットに関するものである。スポンジ培地おいて発芽した、あるいは初期成長した植物の扱いは非常にデリケートなものであるが、本考案の栽培ポットを用いれば、ハンドリングが容易になり、また、植物を保護できるため、作業性の向上、および品質や歩留まりの向上が可能である。
また、水耕栽培用パネルとして通常の素材の発泡パネルを用いても、定植孔側壁からスポンジ培地が落ちることを防止し、且つスポンジ培地の定植孔からの取り外しを容易に行えるものである。
さらに、定植孔から養液槽内部への光の侵入も防ぎ、養液槽内にアオコ等の微細藻類の発生を抑制する効果も有する。
【図面の簡単な説明】
【００１４】
【図１】本考案に係る栽培ポットの（ａ）上面図と、（ｂ）側面図である。
【図２】本考案に係る栽培ポットと、栽培ポットに挿入するスポンジ培地の斜視図である。
【図３】本考案に係る水耕栽培用パネルの栽培ポット挿入孔と栽培ポットの関係を説明するための断面図である。
【図４】本考案に係る水耕栽培用パネルの上面図である。
【図５】本考案に係る水耕栽培用パネルの栽培ポット挿入孔に栽培ポットを挿入した際の上面図である。
【図６】本考案に係る栽培ポットの有するひとつの効果を説明するための図である。
【考案を実施するための形態】
【００１５】
本考案に係る水栽培ポット、および、この栽培ポットに適した水耕栽培用パネルの構成や使用方法、特長等に関して、以下において、図面を用いて説明する。なお、以下の説明は本考案に関する良好な一例を開示するものであり、本考案が当該実施の形態に限定されるものではない。
【００１６】
実施の形態．
＜栽培ポットの構成＞
図１および図２を用いて、本実施の形態の栽培ポットの構成を説明する。
図１は、本考案に係る栽培ポットの（ａ）上面図と、（ｂ）側面図である。図２は、本考案に係る栽培ポットと、栽培ポットに挿入するスポンジ培地の斜視図である。
栽培ポット１は、水耕栽培に用いる略キュービック状のスポンジ培地２を収納する栽培ポットであって、スポンジ培地２の播種面の対角線よりも小さい径を有するスポンジ培地挿入孔１１と、スポンジ培地挿入孔１１を下端に有し且つ上部に行くほど径が大きくなる筒部とを備えたものである。
【００１７】
この筒部として、特に望ましい構成は、スポンジ培地挿入孔１１を下端に有し且つ上部に行くほど径が大きくなる第１の筒部１２と、第１の筒部１２の上端を下端とし且つ上部に行くほど径が大きくなる第２の筒部１３とから構成され、第２の筒部１３の広がり角は第１の筒部１２の広がり角よりも大きい構成である。
【００１８】
＜栽培ポット＞
栽培ポット１の素材としては、廉価に量産できる樹脂の成型品が最適であり、特に、可視光を通さないものが良い。
栽培ポット１の大きさは、使用するスポンジ培地２の大きさに適した大きさにする。例えば、スポンジ培地２の播種面が２３．５ｍｍ角である場合には、スポンジ培地挿入孔１１の内径は１８ｍｍ〜３２ｍｍ程度であり、播種面の対角線の長さよりも小さい。また、筒部の上部（第２の筒部１３の上部）の径Ａは、スポンジ培地挿入孔１１の内径の２．５〜３．５倍程度である。
【００１９】
＜スポンジ培地＞
水耕栽培に用いられるスポンジ培地２は、養液の吸収が良く、根張りにも適した材質が使用される。一般にはウレタンの加工品が広く用いられている。農業の現場のように、大量に野菜等を栽培する場合には、例えば、２８０ｍｍ×５８０ｍｍで３０ｍｍ厚といった大きさのウレタンシートを使用する。ウレタンシートには、２３．５ｍｍ間隔で縦横に切れ目が入れられ、また、縦横の切れ目がなす正方形の中央には、播種のために窪み２１が設けられ、その窪みの中には切れ目２２が設けられている。発芽後に、ウレタンシートは２３．５ｍｍ間隔の切れ目で切り離され、栽培槽に移されて成長する。
【００２０】
なお、「略キュービック状のスポンジ培地」とは、必ずしも立方体のスポンジ培地を意味するのではなく、直方体のスポンジ培地も含む。
「スポンジ培地２の播種面」とは、窪み２１が設けられる等、播種が行われる面である。
【００２１】
＜使用方法＞
図２に示すように、スポンジ培地２は、栽培ポット１の上面よりスポンジ培地挿入孔１１に挿入される。挿入後は、図３に示すように、スポンジ培地２の下方は、栽培ポット１のスポンジ培地挿入孔１１より下部に出る。スポンジ培地２は、スポンジ培地挿入孔１１において、圧縮されてくびれた状態になっているため、スポンジ培地２の下方は、スポンジ培地挿入孔１１よりも広がった状態になり、そのため、スポンジ培地２は、スポンジ培地挿入孔１１から抜け落ちることなく、しっかりと固定された状態になる。
【００２２】
このように、スポンジ培地２が内部に固定された栽培ポット１を、水耕栽培用パネル３に設けられた栽培ポット挿入孔３１に挿入する。栽培ポット挿入孔３１の下端部の径は、スポンジ培地２の播種面の対角線よりも小さいので、図３に示すように、スポンジ培地２の下方は、栽培ポット挿入孔３１よりも広がった状態になり、そのため、スポンジ培地２が内部に固定された栽培ポット１は、栽培ポット挿入孔３１から抜け落ちることなく、しっかりと固定された状態になる。
【００２３】
なお、栽培ポット挿入孔３１は、栽培ポット１の形状に沿った開口形状にするのが望ましい。特に、栽培ポット挿入孔３１の上端部は、栽培ポット１の上端面により完全に覆われるよう、栽培ポット１の上端面の径Ａよりも小さな径にすることが望ましい。
【００２４】
図４は、水耕栽培用パネル３の上面図であり、栽培ポット１の外形形状に沿った孔である栽培ポット挿入孔３１が複数設けられている。図５は、栽培ポット１を栽培ポット挿入孔３１に挿入した際の上面図である。栽培ポット挿入孔３１の間隔は、栽培する植物の種類や成長段階に応じて適切な間隔とする。
【００２５】
例えば、中型の葉野菜の場合だと、スポンジ培地２で発芽した後に、ウレタンシートから切り離して栽培ポット１に入れる。それを育苗用の水耕栽培用パネルの栽培ポット挿入孔に挿入する。この際、栽培ポット挿入孔の間隔は５ｃｍ程度である。そして、育苗用の養液槽で初期成長した植物は、育苗用の水耕栽培用パネルから定植用の水耕栽培用パネルに移される。定植用の水耕栽培用パネルの栽培ポット挿入孔の間隔は２０ｃｍ程度である。そして、定植用の養液槽で成長した植物は、最終的に収穫される。
【００２６】
育苗用の水耕栽培用パネルから定植用の水耕栽培用パネルに移す際、および収穫する際には、水耕栽培用パネル３の栽培ポット挿入孔３１から、栽培ポット１を外すことが必要である。この際は、水耕栽培用パネル３の裏面側を上にして、この裏面側をドンドンと叩くことで、栽培ポット挿入孔３１から栽培ポット１が外れる。収穫の際には、さらに、栽培ポット１の上面より、スポンジ培地２を引き抜けばよい。
栽培ポット１は洗剤による洗浄により再利用できる。
【００２７】
また、育苗用の養液槽で初期成長した植物を、定植用の養液槽に移す際には、育苗用の水耕栽培用パネルから栽培ポットを外した後、定植用の水耕栽培用パネルに栽培ポットを挿入し、定植用の養液槽に運搬する。従来は、定植用の水耕栽培用パネルを数段平積みして、台車等で運搬していた。しかし、スポンジ培地２から養液がたれるため、下の水耕栽培用パネルをビニール等でカバーする必要があった。
一方、本考案の栽培ポット１を使用すれば、水耕栽培用パネルを傾けても、水耕栽培用パネルから栽培ポットが落ちる心配がないため、運搬の際に、平積みではなく、図６に示すように立てて運搬できる。したがって、ビニール等でカバーする必要がない。
【００２８】
＜その他の構成＞
栽培ポットを用いる利点のひとつは、水耕栽培用パネルに設けられた栽培ポット挿入孔を栽培ポットで覆うことができるため、太陽光等の光が養液槽に入りにくくなり、アオコ等の微細藻類の発生を抑制できる点である。ただし、水耕栽培用パネルがわずかでも透光性を有する場合には、水耕栽培用パネルを通して、光が養液槽に照射されてしまう。それを防止するために、可視光を通さない性質を持つシートを水耕栽培用パネルの上面又は下面に貼り付けてることが効果的である。例えば、黒色のカッティングシートを水耕栽培用パネルの下面に貼り付ける。一般的な水耕栽培用パネルは、白色の発泡パネルなので、光の大部分は水耕栽培用パネルの上面で反射される。わずかに侵入した光は黒色のカッティングシートで吸収され、養液面には届かない。また、黒色のカッティングシートで吸収される光はわずかであるため、温度上昇もほとんどない。
【００２９】
＜本考案のまとめ＞
農業は、一部の高級農産物を除いて、薄利多売的なビジネスである。したがって、作業の効率化、歩留まりの向上、生産コストの削減が重要な命題となっている。土壌栽培だけではなく、水耕栽培においても同様である。本考案は、このような農業の状況を鑑みてなされたものである。
【００３０】
本考案は、スポンジ培地の取り扱いを極めて容易にする補助具である栽培ポットに関するものである。スポンジ培地おいて発芽した、あるいは初期成長した植物の扱いは非常にデリケートなものであるが、本考案の栽培ポットを用いれば、ハンドリングが容易になり、また、植物を保護できるため、作業性の向上、および品質や歩留まりの向上が可能である。
また、水耕栽培用パネルとして、高価な特殊なパネルを用いることなく、通常の素材の発泡パネルを用いても、定植孔側壁からスポンジ培地が落ちることを防止し、且つスポンジ培地の定植孔からの取り外しを容易に行えるものである。
【００３１】
さらに、栽培ポット挿入孔を栽培ポットで覆うことができるため、太陽光等の光が養液槽に入りにくくなり、アオコ等の微細藻類の発生を抑制できる。
【００３２】
特に、筒部が、スポンジ培地挿入孔を下端に有し且つ上部に行くほど径が大きくなる第１の筒部と、第１の筒部の上端を下端とし且つ上部に行くほど径が大きくなる第２の筒部とから構成され、第２の筒部広がり角は第１の筒部の広がり角よりも大きい構成にすることにより、上述した特長はより顕著となる。例えば、スポンジ培地を栽培ポットに挿入しやすくなる。また、栽培ポット挿入孔を完全に覆いやすくなる。
【符号の説明】
【００３３】
１  栽培ポット
１１  スポンジ培地挿入孔
１２  第一の筒部
１３  第二の筒部
２  スポンジ培地
２１  窪み
２２  切込み
３  水耕栽培用パネル
３１  栽培ポット挿入孔
【図１】
0003214856.tif 000003
【図２】
0003214856.tif 000004
【図３】
0003214856.tif 000005
【図４】
0003214856.tif 000006
【図５】
0003214856.tif 000007
【図６】
0003214856.tif 000008